(57)【要約】【課題】回転つまみを回転しても回転つまみの表面から視認できる表示部が移動することのない電子部品を提供する。【解決手段】ケース５０と、ケース５０を覆う回転つまみ１０と、ケース５０の回転つまみ１０を設置した反対面側に設置され回転つまみ１０と一体に回転する回転体９０と、回転つまみ１０及び回転体９０の回転によって電気的出力を変化する電気的機能部（摺動子１１０及び摺接パターン１７９）と、回転つまみ１０の開口部１３内に設置される押釦つまみ３０と、押釦つまみ３０によってオンオフされる中央スイッチ１８３とを具備する。ケース５０の回転つまみ１０との対向面に表示部６１を形成すると共に、回転つまみ１０全体を透明材からなる透光部として表示部６１が上方から見えるようにする。回転つまみ１０の開口部１３の周囲の面を外部からの視認防止用の視認防止面１５とする。【選択図】図１
2009081075.tif 000002
【特許請求の範囲】
【請求項１】
ケースと、前記ケースを覆う回転つまみと、前記ケースの前記回転つまみを設置した反対面側に設置され前記回転つまみと一体に回転する回転体と、前記回転つまみ及び回転体の回転によって電気的出力を変化する電気的機能部と、前記回転つまみの中央に設けた開口部内に設置される押釦つまみと、前記押釦つまみによってオンオフされる中央スイッチと、を具備する電子部品において、
前記ケースの前記回転つまみとの対向面に表示部を形成すると共に、前記回転つまみの少なくとも前記表示部に対向する部分を透明材からなる透光部とし、さらに前記回転つまみの開口部の周囲の面を外部からの視認防止用の視認防止面としたことを特徴とする電子部品。
【請求項２】
前記視認防止面は、梨地面によって形成されていることを特徴とする請求項１に記載の電子部品。
【請求項３】
前記回転つまみ上面の開口部の周囲に凹部を設け、この凹部内の凹部形成面を前記視認防止面としたことを特徴とする請求項１又は２に記載の電子部品。
【請求項４】
前記電子部品はさらに、前記ケースを載置する取付台と、この取付台を揺動自在に支持する支持部材と、前記取付台の揺動によって押圧される押圧スイッチと、を具備していることを特徴とする請求項１又は２又は３に記載の電子部品。
【発明の詳細な説明】
【技術分野】
【０００１】
本発明は、回転式電子部品と押圧式電子部品の機能を併せ持ち、且つ回転式電子部品の回転つまみにおける表示に特徴を有する電子部品に関するものである。
【背景技術】
【０００２】
車載用ナビゲーションシステム、コンピュータ、各種携帯機器、各種ＯＡ機器、ゲーム機等を操作するデバイスとして回転式電子部品や押圧式電子部品等がある。そしてこの種の電子部品の中には、回転式電子部品の回転つまみの中央に押圧式電子部品の押釦つまみを設置することで、回転式電子部品と押圧式電子部品の機能を併せ持つ多機能型の電子部品がある（例えば特許文献１参照）。
【０００３】
しかしながら上記従来の多機能型電子部品においては以下のような問題点があった。
（１）例えば一般に、回転つまみの表面には、印刷等によってリング状にこの回転つまみによって切り換えられる各種機能を表示する表示部が設けられる。このように回転つまみの表面に表示部を設ける場合、回転つまみの回転と共に表示部も回転することとなる。一方で回転つまみを回転した際に、回転つまみは回転するが、その表示部は移動しない構成が要望される場合がある。これは例えば回転つまみの外周近傍部分を押圧した際に回転つまみ全体が押圧した方向に揺動してスイッチがオンされるようなさらに多機能化された多機能型電子部品において、回転つまみの回転位置によらず、回転つまみの押圧位置を表示する必要があるような場合である。回転つまみの押圧位置を表示するには、回転つまみの外周近傍に位置する外装ケースにその表示を行えばよいのであるが、外装ケースにそのような表示を行うスペースがないような場合もあり、回転つまみの内部に回転つまみが回転しても回転つまみの押圧位置の表示が表示できる構造のものが望まれていた。しかしながら従来の中央に押釦つまみを設置する開口部を有する回転つまみの表示部では、そのような要望に答えることはできなかった。
【０００４】
（２）電子機器の小型化・多機能化のため、操作デバイスのさらなる高集積化が要求されており、特許文献１のような回転式電子部品と押圧式電子部品の機能の集積化に加え、さらに回転つまみの外周近傍部分を押圧することで回転つまみが揺動してスイッチがオンオフする揺動式電子部品の機能を集積してコンパクト化した構造の電子部品が要望されている。しかしながら従来、そのような多機能化された電子部品として、構造が簡単で組み立てが容易なものはなかった。
【特許文献１】特開２００１−１８４９６７号公報
【発明の開示】
【発明が解決しようとする課題】
【０００５】
本発明は上述の点に鑑みてなされたものでありその目的は、回転つまみを回転しても回転つまみの表面から視認できる表示部が移動することなく、また特に回転式電子部品と押圧式電子部品と揺動式電子部品の機能を一体化した多機能型の電子部品に用いて好適な電子部品を提供することにある。
【課題を解決するための手段】
【０００６】
本願請求項１に記載の発明は、ケースと、前記ケースを覆う回転つまみと、前記ケースの前記回転つまみを設置した反対面側に設置され前記回転つまみと一体に回転する回転体と、前記回転つまみ及び回転体の回転によって電気的出力を変化する電気的機能部と、前記回転つまみの中央に設けた開口部内に設置される押釦つまみと、前記押釦つまみによってオンオフされる中央スイッチと、を具備する電子部品において、前記ケースの前記回転つまみとの対向面に表示部を形成すると共に、前記回転つまみの少なくとも前記表示部に対向する部分を透明材からなる透光部とし、さらに前記回転つまみの開口部の周囲の面を外部からの視認防止用の視認防止面としたことを特徴とする電子部品にある。
【０００７】
本願請求項２に記載の発明は、前記視認防止面は、梨地面によって形成されていることを特徴とする請求項１に記載の電子部品にある。
【０００８】
本願請求項３に記載の発明は、前記回転つまみ上面の開口部の周囲に凹部を設け、この凹部内の凹部形成面を前記視認防止面としたことを特徴とする請求項１又は２に記載の電子部品にある。
【０００９】
本願請求項４に記載の発明は、前記電子部品はさらに、前記ケースを載置する取付台と、この取付台を揺動自在に支持する支持部材と、前記取付台の揺動によって押圧される押圧スイッチと、を具備していることを特徴とする請求項１又は２又は３に記載の電子部品にある。
【発明の効果】
【００１０】
請求項１に記載の発明によれば、ケースに形成した表示部が、回転つまみの透光部を透して回転つまみの表面側から視認できる。従って回転つまみを回転しても、表示部は移動（回転）することなく、元の位置にそのまま位置して表示される。さらにこの回転つまみの中央には押釦つまみが設置されているため、回転つまみの開口部の下側に位置する押釦つまみのつば部等の、回転つまみの下面側の部品が透明な回転つまみを透してその表面から視認される恐れがあるが、回転つまみの開口部の周囲の面に視認防止面を設けたので、例え回転つまみを透明に構成しても、押釦つまみのつば部等が回転つまみの表面側から見える恐れもない。
【００１１】
請求項２に記載の発明によれば、視認防止面として別途不透光性の塗料を塗布する等の工程を行うことなく、回転つまみの成形時にその表面を梨地処理するだけで、容易に視認防止面を形成することができる。
【００１２】
請求項３に記載の発明によれば、凹部に指が押し入るので、押釦つまみが押し易くなる。
【００１３】
請求項４に記載の発明によれば、回転式電子部品と押圧式電子部品と揺動式電子部品の機能を一体化した多機能型の電子部品をコンパクトに構成することができる。その際、請求項１によって回転つまみを回転しても表示部は回転しないので、この表示部を回転つまみを押圧して揺動させる際の揺動方向を表示する表示部として用いると好適となる。
【発明を実施するための最良の形態】
【００１４】
以下、本発明の実施形態を図面を参照して詳細に説明する。図１は本発明の１実施形態にかかる電子部品１の概略側断面図、図２は電子部品１を上側から見た斜視図、図３は電子部品１の上側の部品を上側から見た分解斜視図、図４は電子部品１の下側の部品を上側から見た分解斜視図、図５は電子部品１の上側の部品を下側から見た分解斜視図、図６は電子部品１の下側の部品を下側から見た分解斜視図である。なお以下の説明において、「上」とはケース５０から見てその上に覆うように設置される回転つまみ１０の方向をいい、「下」とはその反対側を向く方向をいうものとする。
【００１５】
これらの図に示すように電子部品１は、回転つまみ１０と、押釦つまみ３０と、ケース５０と、クリック板７０と、回転体９０と、摺動子１１０と、支持部材１３０と、取付台１５０と、回路基板（以下「フレキシブル回路基板」という）１７０と、保持部材（以下「保持板」という）１９０とを具備して構成されている。以下各構成部品について説明する。
【００１６】
回転つまみ１０は合成樹脂の成形品であり、略円板状の本体部１１の中央に円形の開口部１３を設けて構成されている。この回転つまみ１０は透明な合成樹脂によって構成されており、この実施形態では透明なポリカーボネート（ＰＣ）樹脂を用いている。もちろん透明な合成樹脂であれば、他の各種合成樹脂（例えばアクリル、ＰＭＭＡ樹脂、ポリプロピレン、ポリウレタン、ポリアミド、ポリエチレンテレフタレート（ＰＥＴ）、ポリブチレンテレフタレート、ポリスチレン、ポリアクリロニトリルブタジエンスチレン等）を用いても良い。
【００１７】
回転つまみ１０の上面（表面）の開口部１３の周囲の部分には、開口部１３に向かって（回転つまみ１０の半径方向中央に向かって）下方に傾斜するリング状の傾斜面（凹部形成面）１５が設けられている。回転つまみ１０の表面（上下面を含む）の略全体は、滑らかな面となっていてその上方から下方が透視できる構成となっているが、この傾斜面１５の表面（上面）については、多数の細かい凹凸からなる、いわゆる梨地処理（シボ加工，ブラスト加工，放電加工，レーザー加工等による）が施されて梨地面となっていて、この傾斜面１５は視認防止面となっている。つまり回転つまみ１０はその全体（視認防止面１５を除く）が透明材からなる透光部となっている。また視認防止面１５においてはこれをその上から見た場合、回転つまみ１０の下方がぼやけて見え（または殆ど見えず）、外部からの視認が防止されている。
【００１８】
一方回転つまみ１０の開口部１３は、内部に下記する押釦つまみ３０の本体部３１を設置できるように本体部３１の外形寸法よりも若干大きな内径寸法であり、且つ本体部３１に設けた下記するつば部３７が上方に抜けないようにつば部３７の外形寸法よりも若干小さい内径寸法に形成されている。一方、本体部１１の外周には下方に突出する筒状の外周側壁部１６が形成され、また本体部１１の下面の開口部１３の周囲には外周側壁部１６よりも小さな突出寸法で下方に突出する筒状の軸部１７が形成されている。軸部１７の下端面の複数位置（本実施形態では４ヶ所の位置）には、この回転つまみ１０にクリック板７０を固定する柱状の小突起からなる板取付部１９が設けられている。さらに軸部１７の下端面の板取付部１９の間の複数位置（本実施形態では１８０°対向する２ヶ所の位置）には、この回転つまみ１０に回転体９０を取り付ける回転体取付部２１が設けられている。回転体取付部２１は、軸部１７の下端面から扇形状に突出する基部２１ａと、基部２１ａの下端面中央から下方に向かって突出する柱状の取付部２１ｂとを備えて構成されている。
【００１９】
押釦つまみ３０は合成樹脂の成形品であり、この実施形態では不透光性の合成樹脂として熱可塑性のＡＢＳ樹脂を用いている。もちろん他の各種合成樹脂（例えばＰＢＴ樹脂やＰＯＭ樹脂等）を用いて構成しても良い。また透明であっても良い。押釦つまみ３０は、略円板状の本体部３１と、本体部３１の下面中央から下方向に向かって突出する柱状の押圧部３３とを具備し、本体部３１の上面を指等で押圧操作する操作部３５とし、本体部３１の外周面の下部に薄板リング状に突出するつば部３７を設けて構成されている。押圧部３３の外周側面には上下方向に沿って延びる細い柱状の回り止め３９が設けられている。
【００２０】
ケース５０は合成樹脂の成形品であり、この実施形態では不透光性の合成樹脂として熱可塑性のＰＣ樹脂を用いている。もちろん他の各種材質の合成樹脂材を用いて構成しても良いし、透明な合成樹脂によって構成しても良い。ケース５０は、円形平板状の上面部５１を備え、上面部５１の中央に回転つまみ１０の軸部１７をその内部に挿入して回動自在に軸支する円形の開口部５３を有している。上面部５１の外周には下方に向かって突出する筒状の側壁部５５が設けられ、側壁部５５の下端面の複数の位置（この実施形態では等間隔（９０°間隔）の４ヶ所の位置）には、下記する取付台１５０に取り付けられる小突起状の取付台取付部５７が設けられている。また上面部５１の下面には、下記するクリック板７０のクリック弾接部８３を弾接係合させる凹凸を所定間隔でリング状に配置してなるクリック係合部５９が形成されている。また上面部５１の所定位置（この実施形態では等間隔（９０°間隔）の４ヶ所の位置）には、その位置を表示する表示部６１が形成されている。表示部６１はこの実施形態では印刷（例えばタンポ印刷等）によって形成されているが、蒸着やシールを貼ることや上面部５１自体に凹凸を設けること等によって形成しても良い。
【００２１】
クリック板７０は弾性金属板（例えばステンレス板）を円形に形成した本体部７１と、本体部７１の外周を囲む位置に設置された一対の半円弧状のアーム部７３，７３とを一体に形成して構成されている。本体部７１はその外径がケース５０の開口部５３の内径よりも若干大きな寸法に形成され、その中央には前記押釦つまみ３０の押圧部３３を挿通させる円形の開口部７５が設けられ、また開口部７５の両外側の１８０°を隔てて対向する２ヶ所の位置には回転つまみ１０の回転体取付部２１の基部２１ａを嵌合させる扇形状の貫通孔からなる挿通部７７が形成され、開口部７５の外側の４ヶ所の位置には回転つまみ１０の板取付部１９を挿入する円形の貫通孔からなる取付固定部７９が形成されている。本体部７１の挿通部７７，７７の両外側には、半径方向外方に突出して両アーム部７３，７３の根元部分に連結する一対の連結部８１，８１が設けられている。両アーム部７３，７３はそれぞれ本体部７１の外周に沿うように設置され、両アーム部７３，７３の中間部付近にはクリック板７０の上面側に向かって円弧状に突出する突起状のクリック弾接部８３，８３が設けられている。
【００２２】
回転体９０は合成樹脂の成形品であり、この実施形態ではＰＯＭ樹脂を用いているが、もちろん他の各種材質の合成樹脂材を用いて構成しても良い。回転体９０は円形の平板状に形成され、その中央に下記する取付台１５０の軸部１５３を回転自在に挿通（軸支）する円形の開口部９１を設けている。一方回転つまみ１０の回転体取付部２１に対向する２ヶ所の位置には貫通孔からなる挿入部９３が設けられ、また回転つまみ１０の板取付部１９に対向する４ヶ所の位置には、クリック板７０の下面から突出する板取付部１９の先端部を収納配置する凹状の収納部９５が設けられている。一方回転体９０の下面の開口部９１の周囲には下方に突出する筒状の第１突出部９７が設けられており、第１突出部９７の周囲にも第１突出部９７と同心円状に下方に突出する筒状の第２突出部９９が設けられている。第２突出部９９は、前記一対の挿入部９３，９３の部分で２つに分割されている。第２突出部９９の周囲の面は、摺動子１１０を設置する摺動子設置部１０１となっており、摺動子設置部１０１の面の同一円周上の等間隔（１２０°間隔）の３ヵ所の位置には、小突起状の摺動子固定部１０３が設けられている。
【００２３】
摺動子１１０は弾性金属板製であり、この実施形態ではリン青銅板を用いているが、他の各種材質のものを用いても良い。摺動子１１０は、回転体９０よりも若干小さな外径寸法を有する略円形の平板状でリング状に形成され、中央に開口部１１１を設けると共に、等間隔（１２０°間隔）の３ヶ所の位置に、前記回転体９０の摺動子固定部１０３を挿入する貫通孔からなる取付固定部１１３を設け、また各取付固定部１１３の側部から３本ずつの摺接ブラシ１１５を摺動子１１０の円形の外形に沿うように設置して構成されている。各組の摺接ブラシ１１５の先端近傍部分は、接点部１１７となっている。
【００２４】
支持部材１３０は合成樹脂の成形品であり、この実施形態ではＡＢＳ樹脂を用いているが、他の各種合成樹脂材料を用いて構成しても良い。支持部材１３０は、略リング状（Ｃ字状）に形成されており、中央の開口１３１の内径寸法は、回転つまみ１０や取付台１５０（係合片１５９を除く）の外径寸法よりも少し大きく形成されている。支持部材１３０の等間隔の４ヶ所（即ち９０°間隔）の位置には、上方向に凸となる取付台保持部１３３が設けられ、各取付台保持部１３３の下面には凹状の係合部１３５が設けられている。係合部１３５の形状は下記する取付台１５０の係合片１５９を所定の短い寸法だけ上下動自在で平面方向には移動しない状態で挿入できるように、係合片１５９の係止部１６１を挿入する幅広部分とその先端側部分を挿入する幅細部分とを有している。支持部材１３０の下面の各係合部１３５の両側部分には、下方向に突出する小突起状の取付部１３７が設けられている。また略リング状の支持部材１３０の一部には、切り欠きからなる基板挿通部１３９が設けられている。
【００２５】
取付台１５０は合成樹脂の成形品であり、この実施形態ではＡＢＳ樹脂を用いているが、他の各種合成樹脂材料を用いて構成しても良い。取付台１５０は回転つまみ１０よりも若干大きい外径寸法を有し、中央には押釦つまみ３０の押圧部３３を挿通して軸支する略円形の開口部１５１が設けられ、上面の開口部１５１の周囲には上方向に向かって突出する筒状の突起からなる軸部１５３が設けられている。軸部１５３の側面には、前記押釦つまみ３０の回り止め３９に係合する軸方向（上下方向）に延びるスリット及び溝からなる回り止め係合部１５５が形成されている。一方前記ケース５０の各取付台取付部５７に対向する複数の位置（本実施形態では４ヶ所の位置）には、貫通孔からなる取付部１５７が設けられ、また外周の所定位置（本実施形態では各取付部１５７の外側の４ヶ所の位置であって、前記支持部材１３０の各係合部１３５に対向する位置）には、半径方向外方に向かって舌片状に突出する係合片１５９が設けられている。各係合片１５９の両側辺には幅方向に突出する小突起状の係止部１６１が設けられている。取付台１５０の下面の各取付部１５７の間の所定位置（各取付部１５７間の中間位置）には、下方向に向かって突出する柱状の押圧部１６３が設けられている。
【００２６】
フレキシブル回路基板１７０は可撓性を有する合成樹脂フイルム上に所望の回路パターンを設けて構成されており、この実施形態では合成樹脂フイルムとして熱可塑性のＰＥＴフイルムを用いているが、他の各種可撓性、熱硬化性、光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ＰＣフイルム、ポリブチレンナフタレート（ＰＢＮ）フイルム、ポリブチレンテレフタレート（ＰＢＴ）フイルム等を用いて構成しても良い。フレキシブル回路基板１７０は、摺接パターン１７９が形成された第１回路基板部１７１と、中央スイッチ１８３と押圧スイッチ１８５とが形成された第２回路基板部（第２の回路基板）１７５とを、帯状の連結部１７３によって連結して構成されている。
【００２７】
第１回路基板部１７１は略円形の外形を有し、中央に取付台１５０の軸部１５３を挿通する円形の開口部１７７を設け、またその下面の開口部１７７の周囲に所望の摺接パターン１７９を設けて構成されている。摺接パターン１７９は銀等の導電ペーストを印刷するなどして形成されており、図では詳細な記載を省略しているが、この実施形態ではスイッチパターンが形成されている。また第１回路基板部１７１の前記ケース５０の各取付台取付部５７に対向する４ヶ所の位置には、貫通孔からなる挿通部１８１が設けられている。
【００２８】
第２回路基板部１７５は、第１回路基板部１７１よりも若干大きい外径寸法の略八角形の外形を有し、その上面（前記摺接パターン１７９を設けた反対側の面）の中央に中央スイッチ１８３を設置し、中央スイッチ１８３の周囲の複数の位置（この実施形態では同一円周上の等間隔（９０°間隔）の４ヶ所の位置）に押圧スイッチ１８５を設置して構成されている。中央スイッチ１８３と押圧スイッチ１８５は何れも同一構造であり、図示しない一対のスイッチ接点上に弾性金属板をドーム形状に形成してなる反転板（可動接点板）１８３ａ，１８５ａを取り付けて構成されており、反転板１８３ａ，１８５ａを押圧してこれを反転することでスイッチがオンする構造となっている。また第２回路基板部１７５の前記支持部材１３０各取付部１３７に対向する８ヶ所の位置には、貫通孔又は切り欠きからなる挿通部１８７が形成されている。なお中央スイッチ１８３及び押圧スイッチ１８５の出力は図示しない回路パターンによって第２回路基板部１７５の外周に連結した帯状の引出部１８９に引き出されている。
【００２９】
保持板１９０は硬質板であり、この実施形態では金属板（ステンレス板）を用いているが、他の材質の金属板又は合成樹脂板を用いても良い。保持板１９０はその外形寸法形状が第２回路基板部１７５の外形寸法形状と略同一であり、第２回路基板部１７５の各挿通部１８７に対向する位置には、これら各挿通部１８７と同一形状寸法の貫通孔又は切り欠きからなる挿通部１９１が設けられている。
【００３０】
次に電子部品１の組立方法を説明する。まず予め回転体９０の摺動子固定部１０３を摺動子１１０の取付固定部１１３に挿通し、摺動子１１０の下面側に突出する摺動子固定部１０３の先端を熱かしめすることで、回転体９０の摺動子設置部１０１に摺動子１１０を取り付けておく。そして回転つまみ１０の開口部１３に下側から押釦つまみ３０の本体部３１を挿入し、操作部３５を開口部１３から回転つまみ１０の上面側に露出させた状態で設置する。次に回転つまみ１０及び押釦つまみ３０の下側にケース５０を設置し、その際ケース５０の開口部５３内に上側から回転つまみ１０の軸部１７を挿入することでケース５０の上部に回転つまみ１０を回動自在に設置する。
【００３１】
次にケース５０の下面側にクリック板７０を設置し、その際押釦つまみ３０の押圧部３３をクリック板７０の開口部７５に挿通させ、同時に回転つまみ１０の回転体取付部２１をクリック板７０の挿通部７７に挿通し、且つ回転つまみ１０の板取付部１９をクリック板７０の取付固定部７９に挿通し、クリック板７０の下面に突出する各板取付部１９の先端を熱かしめして固定する。次に前記摺動子１１０を取り付けた回転体９０を、クリック板７０の下面側に設置し、その際押釦つまみ３０の押圧部３３を回転体９０の開口部９１に挿通させると共に、クリック板７０の挿通部７７からクリックバネ７０の下面側に突出する回転体取付部２１の取付部２１ｂを回転体９０の挿入部９３に挿入する。なおここでは取付部２１ｂを挿入部９３に挿入するだけで、取付部２１ｂ先端の熱かしめは行っていないが、取付部２１ｂの先端を回転体９０の下面側で熱かしめして固定しても良い。
【００３２】
一方、図４に示すフレキシブル回路基板１７０の第１回路基板部１７１をその下面を上に向けた状態で取付台１５０上に載置し、その際第１回路基板部１７１の開口部１７７に取付台１５０の軸部１５３を挿通し、これらを前記ケース５０の下側に設置する。その際ケース５０の各取付台取付部５７を第１回路基板部１７１の各挿通部１８１と取付台１５０の各取付部１５７に挿入し、取付台１５０の下面から突出する各取付台取付部５７の先端を熱かしめして固定する。このとき押釦つまみ３０の押圧部３３は取付台１５０の軸部１５３の内部（開口部１５１内）に挿入され、同時に軸部１５３の外周が回転体９０の開口部９１内に挿入配置され、押圧部３３の下端は取付台１５０の下面に露出する。次に連結部１７３を折り曲げることで第２回路基板部１７５を取付台１５０の下面側に設置し、さらに第２回路基板部１７５の下面側に保持板１９０を設置した上で、回転つまみ１０の上部から被せるように支持部材１３０を第２回路基板部１７５上に設置する。このとき支持部材１３０の開口１３１内に前記ケース５０等が設置され、また支持部材１３０の各係合部１３５内に取付台１５０の各係合片１５９が所定の短い寸法上下動自在に挿入され、さらに支持部材１３０の各取付部１３７が第２回路基板部１７５の各挿通部１８７と保持板１９０の各挿通部１９１に挿入される。またこのとき折り曲げた連結部１７３は支持部材１３０の基板挿通部１３９に位置する。そして保持板１９０の下面から突出する各取付部１３７の先端を熱かしめすれば、電子部品１の組立が完了する。
【００３３】
これによりケース５０の上部に設置した回転つまみ１０と、ケース５０の下部に設置したクリック板７０及び回転体９０及び摺動子１１０が、ケース５０の上下でケース５０に対して一体に回転自在に設置される。またこのときクリック板７０のクリック弾接部８３がケース５０のクリック係合部５９に弾接係合した状態となり、また摺動子１１０の接点部１１７が第１回路基板部１７１の摺接パターン１７９に当接した状態となっている。また押釦つまみ３０の押圧部３３の下面は中央スイッチ１８３の反転板１８３ａに当接して上方向に押し上げられ、つば部３７の上面が回転つまみ１０の下面に接近又は当接している。また取付台１５０は各押圧部１６３が各押圧スイッチ１８５の反転板１８５ａに当接して水平状態を保っている。また視認防止面１５は傾斜面なので、この部分によって回転つまみ１０の開口部１３の周囲に凹部１６が形成されることとなる。
【００３４】
そして回転つまみ１０の本体部１１を指等で回転すれば、クリック板７０と回転体９０と摺動子１１０とが回転つまみ１０と一体に回転し、摺動子１１０の接点部１１７が摺接パターン１７９上を摺動して摺接パターン１７９の電気的出力が変化する。同時に、クリック板７０のクリック弾接部８３がケース５０のクリック係合部５９に弾接係合してクリック感覚が生じる。
【００３５】
一方押釦つまみ３０の操作部３５を押圧すれば、押釦つまみ３０が下降してその押圧部３３が中央スイッチ１８３の反転板１８３ａを押圧して反転し、中央スイッチ１８３がオンする。押釦つまみ３０への押圧を解除すれば反転板１８３ａの弾性復帰力によって中央スイッチ１８３はオフする。また回転つまみ１０の本体部１１上面の前記取付台１５０の４ヶ所の押圧部１６３の何れかに対応する部分（表示部６１に対応する部分）を押圧すれば、ケース５０や回転体９０や押釦つまみ３０等、取付台１５０上に設置されている構成部品が取付台１５０と一体に押圧された方向に傾いて揺動し、下降した側の押圧部１６３が対向する押圧スイッチ１８５の反転板１８５ａを押圧して反転し、押圧スイッチ１８５がオンする。回転つまみ１０の押圧を解除すれば、反転している反転板１８５ａの弾性復帰力によって回転つまみ１０及び取付台１５０等の各構成部品が一体に元の位置に自動復帰し、押圧スイッチ１８５がオフする。このようにこの電子部品１によれば、回転式電子部品と押圧式電子部品と揺動式電子部品の機能を一体化した多機能型の電子部品１をコンパクトに構成することができる。
【００３６】
ところでこの電子部品１においては、ケース５０に形成した表示部６１が、回転つまみ１０（視認防止面１５を除くその全体が透光部である）を透して回転つまみ１０の表面側（図１の上面側）から視認できる。従って回転つまみ１０を回転しても、表示部６１は静止しているケース５０に設けられているので、移動（回転）することなく、元の位置にそのまま位置して表示される。従って例えばこの実施形態のように、各表示部６１の位置を取付台１５０の各押圧部１６３の位置に対応する位置（真上から見て半径方向に向かって同一直線上の位置）に設けておけば、回転つまみ１０の回転位置にかかわらず、回転つまみ１０の押圧位置が認識できる。つまり回転つまみ１０を押圧して揺動させる際の揺動方向を表示する表示部として用いて好適となる。
【００３７】
またこの電子部品１の場合、回転つまみ１０の中央に押釦つまみ３０を設置しているため、回転つまみ１０の開口部１３の下側に位置する押釦つまみ３０のつば部３７やクリック板７０の本体部７１等の有色の部品（即ち回転つまみ１０の下面側の各種部品）がケース５０の下面に隠れず、ケース５０の開口部５３の内側に透明な回転つまみ１０を透してその表面から視認される恐れがある。しかしながらこの電子部品１においては、回転つまみ１０の開口部１３の周囲の面に視認防止面１５を設けているので、例え回転つまみ１０を透明に構成しても、押釦つまみ１０のつば部３７等の部品が回転つまみ１０の表面側から見える恐れがない（又はぼやけて見えることでデザイン上問題なくなる）。特にこの実施形態の場合、視認防止面１５として別途不透光性の塗料を塗布する等の工程を行うことなく、回転つまみ１０の成形時に透光部の一部の表面を梨地面にするだけで、容易に視認防止面１５を形成しており、好適である。
【００３８】
またこの電子部品１の場合、回転つまみ１０上面の開口部１３の周囲の視認防止面１５を同時に凹部形成面とする凹部１６としたので、押釦つまみ３０の操作部３５を指で押圧した際に凹部１６に指が押し入り、押釦つまみ３０が押し易くなる。このため押釦つまみ３０の操作部３５の位置を低くして回転つまみ１０の上面と略同一位置に位置させてもこれを押し易くなり、言い換えればその分電子部品１の厚み寸法を薄くすることもできる。
【００３９】
以上説明したようにこの電子部品１は、図１に示すように、ケース５０と、ケース５０を覆う回転つまみ１０と、ケース５０の回転つまみ１０を設置した反対面側に設置され回転つまみ１０と一体に回転する回転体９０と、回転つまみ１０及び回転体９０の回転によって電気的出力を変化する電気的機能部（摺動子１１０と摺接パターン１７９からなる）と、回転つまみ１０の中央に設けた開口部１３内に設置される押釦つまみ３０と、押釦つまみ３０によってオンオフされる中央スイッチ１８３と、ケース５０を載置する取付台１５０と、取付台１５０を揺動自在に支持する支持部材１３０と、取付台１５０の揺動によって押圧される押圧スイッチ１８５とを具備し、さらにケース５０の回転つまみ１０との対向面に表示部６１を形成すると共に、回転つまみ１０全体を透明材からなる透光部とし、さらに回転つまみ１０の開口部１３の上面側の周囲の面を外部からの視認防止用の視認防止面１５として構成されている。
【００４０】
この電子部品１は、携帯型端末装置等に設置して用いる場合には、１例として回転つまみ１０の回転操作によって所定の操作内容を順に携帯型端末装置の表示部に表示させ、回転つまみ１０を揺動させる操作でこの表示させた操作内容の内の何れかを選択し、さらに押釦つまみ３０を押圧する操作で前記選択した操作内容を確定する等して用いることができる。
【００４１】
ところで上記実施形態では本発明を、回転式電子部品と押圧式電子部品と揺動式電子部品の機能を一体化した電子部品に適用した例を示したが、回転式電子部品と押圧式電子部品の機能を一体化した電子部品、即ち取付台を揺動自在に支持しない構成の電子部品に本発明を適用しても良い。図７，図８はこの種の電子部品１−２を示す図であり、図７は電子部品１−２の概略側断面図、図８は電子部品１−２の斜視図である。これらの図に示す電子部品１−２において、前記図１〜図６に示す実施形態にかかる電子部品１と同一又は相当部分には同一符号を付す。なお以下で説明する事項以外の事項については、前記図１〜図６に示す実施形態と同じである。この電子部品１−２において前記電子部品１と相違する点は、支持部材１３０を省略し、取付台１５０に外周側壁１６５を設けてその下面をフレキシブル回路基板１７０上に載置し、外周側壁１６５の下端面から突出する小突起状の取付部１６７をフレキシブル回路基板１７０と保持板１９０とに設けた図示しない小孔に挿入して保持板１９０の裏面から突出する取付部１６７の先端を熱かしめによって固定することで取付台１５０をフレキシブル回路基板１７０及び保持板１９０上に固定し、また押圧スイッチ１８５とこれに対向する押圧部１６３とを省略することで揺動式電子部品の機能を省略した点と、表示部６１の表示を「Ａ」，「Ｂ」，「Ｃ」，「Ｄ」とし、また回転つまみ１０の上面の外周近傍部分の一部に細帯状の指標２３を設けた点とである。指標２３は印刷（タンポ印刷等）によって形成しても良いし、印刷物を貼り付けても良いし、回転つまみ１０の表面に凹部又は凸部を形成して構成しても良いし、さらに他の方法で設けても良い。
【００４２】
即ちこの実施形態の場合、取付台１５０を揺動自在に支持しない、回転式電子部品と押圧式電子部品の機能を一体化した電子部品１−２となる。また指標２３によって回転つまみ１０の回転位置を表示でき、例えば指標２３を何れかの表示部６１の位置に合致させることで、回転つまみ１０の回転位置を位置決めすることができる。
【００４３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では第１回路基板部１７１と第２回路基板部１７５は連結部１７３によって一体に連結されているが、第１回路基板部１７１と第２回路基板部１７５とを別個の回路基板として構成してもよい。その場合、第１回路基板部１７１と第２回路基板部１７５の少なくとも何れかを硬質の回路基板で構成することもできる。
【００４４】
また上記実施形態では回転体９０に取り付けた摺動子１１０と取付台１５０上に設置した第１回路基板部１７１上の摺接パターン１７９とによって電気的機能部を構成したが、電気的機能部は回転つまみ１０の回転によってその電気的出力が変化する構成であれば他の各種構成であっても良い。即ち例えば回転体９０側に摺接パターンを設け、取付台１５０側に摺動子を設置する等して電気的機能部を構成しても良い。また上記実施形態では中央スイッチ１８３や押圧スイッチ１８５を１枚の合成樹脂フイルム上に形成した接点パターン上に反転板を取り付けることで構成しているが、これらのスイッチは２枚の合成樹脂フイルムを重ね合わせて両合成樹脂フイルムにそれぞれ設けた一対の接点パターンを隙間を介して対向させ、一方の合成樹脂フイルムに設けた接点パターンの裏面側に反転板を設置することで構成されるいわゆるメンブレンスイッチで構成しても良い。
【００４５】
また上記実施形態では、回転つまみ全体を透明材によって構成することで、視認防止面を除く全ての面を透光性を有する透光部としたが、回転つまみの一部、即ち回転つまみの少なくとも表示部に対向する部分を透明材からなる透光部とし、それ以外の部分を透光部としないように（例えば透光材でない部材で構成するか、あるいは透光材の表面を不透光性の部材で被覆するなど）してもよい。また上記実施形態では視認防止面として梨地処理を行ったが、不透光性（又は半透光性）の部材を被覆したりする等の他の手段によって視認防止面を構成しても良い。また視認防止面は回転つまみの開口部の周囲の下面側の面に設けても良い。また回転つまみにも各種表示部や各種装飾を合わせて設けても良い。
【００４６】
また上記実施形態では電子部品に揺動式電子部品の機能を持たせるために取付台を支持部材によって揺動自在に支持させたが、取付台を揺動自在に支持する構造として他の各種構造を用いても良く、要は取付台を揺動自在に支持することで揺動して下降した位置にある押圧スイッチをオンオフ操作する構造であればどのような構造であっても良い。なお本実施形態にかかる支持部材は取付台の外周にこれを囲むように設置するだけの構造なので、構造が簡単で、また厚みの薄型化が図れて好適である。
【００４７】
また上記実施形態では視認防止部１５を傾斜面とすることで凹部１６を形成したが、凹部１６の形状はこれに限られず種々の変更が可能であり、例えば図９（押釦つまみ３０の本体部３１近傍部分を示す拡大概略断面図）に示すように、傾斜面の代りに矩形状（略直角）に切り欠いてなる凹部１６としてもよい。このとき視認防止面１５を凹部１６の凹部形成面である凹部１６の底面と内周側面の全体に設けてもよいし、場合によってはその一部に設けてもよい（凹部１６が傾斜面の場合も同じ）。
【図面の簡単な説明】
【００４８】
【図１】電子部品１の概略側断面図である。
【図２】電子部品１を上側から見た斜視図である。
【図３】電子部品１の上側の部品を上側から見た分解斜視図である。
【図４】電子部品１の下側の部品を上側から見た分解斜視図である。
【図５】電子部品１の上側の部品を下側から見た分解斜視図である。
【図６】電子部品１の下側の部品を下側から見た分解斜視図である。
【図７】電子部品１−２の概略側断面図である。
【図８】電子部品１−２を上側から見た斜視図である。
【図９】凹部１６の他の例を示す要部拡大側断面図である。
【符号の説明】
【００４９】
１  電子部品
１０  回転つまみ
１３  開口部
１５  視認防止面（凹部形成面）
１６  凹部
３０  押釦つまみ
５０  ケース
６１  表示部
７０  クリック板
９０  回転体
１１０  摺動子（電気的機能部）
１３０  支持部材
１５０  取付台
１７０  回路基板（フレキシブル回路基板）
１７９  摺接パターン（電気的機能部）
１８３  中央スイッチ
１８５  押圧スイッチ
１９０  保持板（保持部材）
１−２  電子部品
２３  指標
【図１】
2009081075.tif 000003
【図２】
2009081075.tif 000004
【図３】
2009081075.tif 000005
【図４】
2009081075.tif 000006
【図５】
2009081075.tif 000007
【図６】
2009081075.tif 000008
【図７】
2009081075.tif 000009
【図８】
2009081075.tif 000010
【図９】
2009081075.tif 000011